(57)【要約】【課題】材料を無駄なく有効に活用しつつ、高生産性でＬ型断面を有する長尺材を製造する方法及びその製造方法によって製造されるＬ型断面長尺材を提供する。【解決手段】木材などからなる第一の平板１上に、第一の平板の幅よりも狭幅でわずかに長い第二の平板２を複数個、アルミニウム合金などからなる並置用治具を用いて一定間隔を空けて横方向に平行に並置して接着した後、各第二の平板の長手方向に沿って切断して、複数個のＬ型断面を有する長尺材とする。【選択図】図３
2008303535.tif 000002
【特許請求の範囲】
【請求項１】
第一の平板上に、該第一の平板よりも狭幅でかつ縦方向にわずかに長い第二の平板を間隔を空けて横方向に複数個並置して接着した積層板を形成し、
該積層板を、該第二の平板の略１／２幅の位置および隣接する第二の平板間に露出する第一の平板の中央位置で縦方向に切断して、
複数個のＬ型断面を有するＬ型断面長尺材に分割することを特徴とするＬ型断面長尺材の製造方法。
【請求項２】
細長板状の底板の左右両端から右壁及び左壁を上方に立設させ、
該底板の側端面の一方の下端から、該左壁から所定幅間隔を空けて上方に立設した突出部を複数形成して並置用治具とし、
第一の平板の両端面に前記治具に嵌合させ、
前記治具の突出部間の間隙に、
該第一の平板よりも狭幅でかつ縦方向にわずかに長い第二の平板を嵌め込んで並置して接着した積層板を形成し、
該積層板を、該第二の平板の略１／２幅の位置および隣接する第二の平板間に露出する第一の平板の中央位置で縦方向に切断して、複数個のＬ型断面を有するＬ型断面長尺材に分割することを特徴とするＬ型断面長尺材の製造方法。
【請求項３】
前記並置用治具の突出部の高さｈ３を、第一の平板の厚さｈ１と第二の平板の厚さｈ２の合計よりも低くすることを特徴とする請求項２に記載のＬ型断面長尺材の製造方法。
【請求項４】
細長板状の底板の左右両端から右壁及び左壁を上方に立設させ、
該底板の側端面の一方の下端から、該左壁から所定幅間隔を空けて上方に立設した突出部を複数形成して並置用治具とし、
第一の平板の両端面に前記治具に嵌合させ、
前記治具の突出部間の間隙に、
該第一の平板よりも狭幅でかつ縦方向にわずかに長い第二の平板を嵌め込んで並置して接着した積層板を形成し、
該積層板を、該第二の平板の略１／２幅の位置および隣接する第二の平板間に露出する第一の平板の中央位置で縦方向に切断して、複数個のＬ型断面を有するＬ型断面長尺材に分割してなるＬ型断面長尺材。
【発明の詳細な説明】
【技術分野】
【０００１】
本発明は枠材などに用いるＬ型断面長尺材の製造方法およびＬ型断面長尺材に関する。
【背景技術】
【０００２】
家屋室内の間仕切りやクローゼット扉枠として、Ｌ型の断面を有する長尺材が用いられる。例えば特許文献１には、クローゼットのレール取付板の前側面に取り付ける見切板としてＬ型断面の長尺材が用いられることが記載されている。
これらのＬ型断面を有するＬ型長尺材は、例えば以下のようにして製造されている。
（１）図１１（ａ）〜（ｄ）に示すように、平板１０から複数の矩形断面の長尺材１１を切り出し、各長尺材の一隅１２をモルダー機で切削除去してＬ型断面の長尺材１３とする。
（２）Ｌ型長尺材の他の製造としては、図１２（ｅ）〜（ｇ）に示すように、平板２１から複数の幅ｍを有する矩形断面の長尺材２２を切り出し、他の平板３１から前記幅ｍよりも小さい幅ｎを有する長尺材３２を切り出し、長尺材２２の上に長尺材３２を、それぞれの側面の一つが面一となるように上下に重ねて接着して長尺材３３とする。
【特許文献１】特開平０６−１４６７２１号公報
【発明の開示】
【発明が解決しようとする課題】
【０００３】
しかし、前記（１）の方法は、長尺材を一本毎に切削加工するために加工能率が向上せず、モルダー機で切削除去して大量に発生する切削屑は廃棄されるのみで無駄が多く、コスト的に不利である。
【０００４】
また、前記（２）の方法は、モルダー機による加工がないので材料が有効に利用されて切削屑は発生しないが、長尺材２２と長尺材３２とを一本毎に積層して接着するので生産効率が悪い。
【０００５】
本発明は、前記課題を解決することを目的とし、材料を無駄なく有効に活用しつつ、高生産性でＬ型断面を有する長尺材を製造する方法、およびその製造方法を用いてなるＬ型断面長尺材を提供することを目的とする。
【課題を解決するための手段】
【０００６】
本発明のＬ型断面長尺材の製造方法は、第一の平板上に、該第一の平板よりも狭幅でかつ縦方向にわずかに長い第二の平板を間隔を空けて横方向に複数個並置して接着した積層板を形成し、該積層板を、該第二の平板の略１／２幅の位置および隣接する第二の平板間に露出する第一の平板の中央位置で縦方向に切断して、複数個のＬ型断面を有するＬ型断面長尺材に分割することを特徴とする。
また、本発明のＬ型断面長尺材の製造方法は、細長板状の底板の左右両端から右壁及び左壁を上方に立設させ、該底板の側端面の一方の下端から、該左壁から所定幅間隔を空けて上方に立設した突出部を複数形成して並置用治具とし、第一の平板の両端面に前記治具に嵌合させ、前記治具の突出部間の間隙に、該第一の平板よりも狭幅でかつ縦方向にわずかに長い第二の平板を嵌め込んで並置して接着した積層板を形成し、該積層板を、該第二の平板の略１／２幅の位置および隣接する第二の平板間に露出する第一の平板の中央位置で縦方向に切断して、複数個のＬ型断面を有するＬ型断面長尺材に分割することを特徴とする。
このような製造方法においては、前記並置用治具の突出部の高さｈ３を、第一の平板の厚さｈ１と第二の平板の厚さｈ２の合計よりも低くすることが好ましい。
本発明のＬ型断面長尺材は、細長板状の底板の左右両端から右壁及び左壁を上方に立設させ、該底板の側端面の一方の下端から、該左壁から所定幅間隔を空けて上方に立設した突出部を複数形成して並置用治具とし、第一の平板の両端面に前記治具に嵌合させ、前記治具の突出部間の間隙に、該第一の平板よりも狭幅でかつ縦方向にわずかに長い第二の平板を嵌め込んで並置して接着した積層板を形成し、該積層板を、該第二の平板の略１／２幅の位置および隣接する第二の平板間に露出する第一の平板の中央位置で縦方向に切断して、複数個のＬ型断面を有するＬ型断面長尺材に分割してなることを特徴とする。
【発明の効果】
【０００７】
本発明によれば、第一の平板上に、第一の平板の幅よりも狭幅で、縦方向においてわずかに長い第二の平板を、一定間隔を空けて横方向に平行に並置して接着して積層板を形成した後、各第二の平板の略１／２幅の位置および二つの第二の平板の間の第一の平板の中央位置で長手方向に切断して、複数個のＬ型断面を有する長尺材に分割するので、大量の切削屑が発生することなく材料を有効に活用することが可能であり、良好な生産効率でＬ型断面を有する長尺材を製造することができる。
また、第一の平板上に第二の平板を並置する際に専用の並置用治具を用いるので、容易にかつ高精度で並置することが可能となり、これも生産性を向上させる一因となる。
このようにして製造されるＬ型断面長尺材は、家屋室内の間仕切りやクローゼット扉枠をはじめ、家具、建具などの様々な用途に好適に適用することができる。
【発明を実施するための最良の形態】
【０００８】
本発明の実施の形態に係るＬ型断面長尺材の製造方法について、図面を参照しながら説明する。図１は、第一の平板上に接着剤を塗布した状態を示す概略斜視図である。図２は、第一の平板上に接着剤を塗布するゴムロールの断面図である。図３は、第一の平板上に第二の平板を並置した状態を示す概略斜視図である。図４は、並置用の治具を用いて第一の平板上に第二の平板を並置した状態を示す平面図である。図５は、図４の正面図である。まず、図１に示すように、第二の平板を積載して並置する第一の平板１の表面に、第二の平板の幅と略同一幅ａで間隔ｂを空けて、横方向に複数列の接着剤Ｓを塗布する。本実施形態では、第二の平板を５個並置する予定なので、図１には５列の接着剤Ｓ塗布箇所を斜線で示している。
接着剤Ｓの塗布は、刷毛塗りなどでも可能であるが、効率よくしかも量産するためには、図２に示すように、接着剤塗布部分を凸の形状にした断面を有するゴムロール３などを用いて第一の平板１の縦方向に塗布することもできる。接着剤Ｓとしては、熱可塑性樹脂または熱硬化性樹脂を主体とする有機溶剤系または水性の接着剤、エマルジョン接着剤、膠などを用いることができる。
Ｌ型断面長尺材を構成する第一の平板および第二の平板を構成する材料としては、木材、合板、樹脂、ＦＲＰ，軽金属などを、所望の形状、構造、強度などを考慮して、適宜選択して用いることができる。
次いで、図３に示すように、間隔ｂを空けて横方向に接着剤Ｓを複数列塗布した第一の平板１上に、第二の平板２を５列積層して並置し、接着した後積層板とする。
【０００９】
このような、第一の平板１上に、所定の間隔ｂを空けて横方向に第二の平板２を積層並置するにあたっては、図４、図５に示すように、第二の平板２を並置するために用いる並置用治具４を用いることが好ましい。
並置用治具４のうち、図４で示すように、第一の平板１の上端面を嵌合させる治具を上治具４ｃとし、下端面を嵌合させる治具を下治具４ｄとする。
このような上治具４ｃ及び下治具４ｄを用いることにより、第一の平板１上に、所定の幅ｂを空けて、横方向に複数個の第二の平板２を、容易にかつ正確に積層並置することができる。
【００１０】
上治具４ｃ，下治具４ｄは、図４に示すように対称形をしており、向かい合わせで用いるようにする。図５には、この並置用治具４を用いて、第一の平板１上に、所定の幅ｂを空けて、横方向に複数個の第二の平板２を積層並置する様子を示す側面図を示す。
下治具４ｄには、細長板状の底板４２の左右両端から右壁４０及び左壁４１が上方に立設され、さらに底板４２の側端面の一方の下端から、左壁４１から幅ａの間隔を空けて上方に立設された突出部４３が形成されている。
突出部４３は、底板４２の横方向に幅ａの間隔を空けて５個形成されているが、最右端に位置する突出部４３の右側端は右壁４０に当接している。すなわち、突出部４３の左右側には、５個の間隙４５が形成されている。
本実施形態では、上記の上治具４ｃ，下治具４ｄを用いて次のようにして第一の平板１の上面に、５個の第二の平板２を積載並置する。先ず、第一の平板１の上端面に上治具４ｃを、下端面に下治具４ｄを嵌合させる。次に、上治具４ｃ、下治具４ｄの突出部４３間の間隙４５に、第二の平板２（本実施形態では５本）を嵌め込んで並置する。なお、この場合、第二の平板２の縦方向の長さを第一の平板１の長さよりもわずかに長くしておくることにより、第二の平板２の長手方向両端を突出部４３の間に形成された間隙４５に嵌合することができ、第二の平板２を、第一の平板１上に精度よく積層並置させることができる。また、下治具４ｄの突出部４３の高さｈ３は、第一の平板の厚さｈ１と第二の平板の厚さｈ２の合計よりも低くなるようにされている。
このような関係にすると、第一の平板上に並置した第二の平板の上面と、並置用治具４の底面４２の底面との間を、万力やプレス機などで挟んで加圧することができ、接着剤を介して第一の平板と第二の平板を強固に接合することができる。
【００１１】
並置用治具４は、木材、合板、樹脂、ＦＲＰ，軽金属などで構成することができるが、繰り返しの使用や加圧により変形が生じないこと、取り扱い時に変形したり破損したりすることがないように、剛性に優れ軽量であるアルミニウム合金で構成されることが好ましい。
【００１２】
以上のようにして、第一の平板１上に複数個の第二の平板を接着剤を介して積層並置した積層板４６を形成した後、図６に示すように、積層板４６を、第二の平板２の幅方向の中心位置、および、隣接する第二の平板間の露出した第一の平板１の中央位置で、露出面の長手方向（縦方向）に切断して、積層板４６を複数個に分割する。そして、第二の平板２の長手方向両端を第一の平板１の縦方向寸法に合わせて切断する。
図７は、切断して複数個に分割され長手方向両端を第一の平板の寸法に合わせて切断されたＬ型断面長尺材５の斜視図を示している。図７は、図６に示す右端の切断されたＬ型断面長尺材の１個を示しており、Ｌ型断面長尺材５は、上部材の幅が（略１／２）ａで厚みｈ２、下部材の幅が（略１／２）×（ａ＋ｂ）で厚みｈ１の寸法を有する断面Ｌ型の形状を有している。
ここで、ａ、ｂは図１で示すように、それぞれ第二の平板の幅、第二の平板を並置するに際しての間隔であり、ｈ２、ｈ１は、それぞれ図５に示す第二の平板の厚み第一の平板の厚みである。
【００１３】
次に、Ｌ型断面長尺材の製造方法について説明する。まず、図８に示すように、床上に第一の平板を複数枚重ねて積載する。積載された最上の第一の平板１ｆに、並置用治具４（上治具４ｃ，下治具４ｄ）を適用する。この際、最上の第一の平板１ｆ上の端部にそのまま並置用治具を搭載すると、第一の平板１の端部からはみ出すので、並置用治具４はその重さで落下してしまう。そこで、図８に示すように、並置用治具の下部に、並置用治具の落下を防止する落下防止治具５０を用いる。
【００１４】
落下防止治具５０は、図１１に示すように、最上の第一の平板１ｆとその下層に位置する第一の平板１ｓとの間に挿入可能な薄板部５１と、第一の平板の厚さｈ１（図５参照）と同一寸法の厚さｈ５を有する堰板部５２を一体化して構成される。薄板部５１の長さ５３は、第一の平板間に挿入してその上に並置用治具４を置いても、抜け落ちることのない十分な長さであれば特に制限されない。また、落下防止治具５０の幅方向の長さ５４は特に制限されない。落下防止治具５０は、一個のみ用いてもよいし、複数個、例えば第一の平板の幅方向の両端に２個用いてもよい。
図８には、比較的小さい長さｌ２の落下防止治具５０を用いている場合を示す。
【００１５】
また、実際の作業においては、第一の平板の幅方向寸法（図１の横方向の寸法参照）は全て同一ではないことが多い。そのため、図５に示した並置用治具４（下治具４ｄ）の右端の突出部４３は、第一の平板の幅方向端にぴったり嵌合しない場合が多々ある。そのため、図１０に示すように、並置用治具４’の最端部の突出部４３’の側面を、底板４２’の長さ方向（図１０の左右方向）において、第一の平板１の側端にぴったり支持固定させるように任意位置にスライド自在に設けることが好ましい。このために、突出部４３’は、底板４２’に穿設した長孔４７にボルト４９で固定して調整自在にすることが望ましい。
【００１６】
以上、本発明の実施形態について説明してきたが、発明の具体的構成はこの実施形態に限定されるものではなく、本発明の要旨を逸脱しない範囲内の変形なども本発明の範囲に含まれる。
【産業上の利用可能性】
【００１７】
以上に説明したように、本発明のＬ型断面長尺材の製造方法は、第一の平板に狭幅の複数個の第二の平板を積載並置して接着した後、切断分割して複数個のＬ型断面長尺材とするので、従来法のように切削屑が発生することなく、材料を有効に活用することが可能であり、また、生産効率を高めることができる。
また、第一の平板上に第二の平板を平行に積載並置する際に専用の並置用治具を用いるので、容易にかつ高精度で並置することが可能となり、さらに生産性が向上する。
このようにして製造されるＬ型断面長尺材は、家屋室内の間仕切りやクローゼット扉枠をはじめ、家具、建具などの様々な用途に好適に適用することができるので、産業上の利用可能性は極めて高い。
【図面の簡単な説明】
【００１８】
【図１】第一の平板に接着剤を塗布した状態を示す概略斜視図である。
【図２】接着剤を塗布するゴムロールの断面図である。
【図３】第一の平板上に第二の平板を並置した状態を示す概略斜視図である。
【図４】並置用治具を用いて第一の平板上に第二の平板を並置した状態を示す平面図である。
【図５】並置用治具を用いて第一の平板上に第二の平板を積層した状態を示す正面図である。
【図６】積層板を切断する状態を示す側面図である。
【図７】Ｌ型断面長尺材を示す概略図である。
【図８】落下防止治具を用いて第一の平板上の並置用治具を支持した状態を示す概略図である。
【図９】落下防止治具を示す概略図である。
【図１０】任意位置にスライド自在の最端部の突出部を設けた並置用治具を示す正面図である。
【図１１】従来のＬ型断面長尺材の製造方法を示す概略図である。
【図１２】従来のＬ型断面長尺材の他の製造方法を示す概略図である。
【符号の説明】
【００１９】
１    第一の平板
１ｆ  最上の第一の平板
１ｓ  下層の第一の平板
２    第二の平板
３    ゴムロール
４    並置用治具
４’  並置用治具
４ｃ  上治具
４ｄ  下治具
５    Ｌ型断面長尺材
１０  平板
１１  長尺材
１２  長尺材の一隅
１３  Ｌ型断面の長尺材
２１  平板
２２  長尺材
３１  他の平板
３２  長尺材
３３  Ｌ型断面を有する長尺材
４０  右壁
４１  左壁
４２  底板
４２’底板
４３  突出部
４３’最端部の 突出部
４５  間隙
４６  積層板
４７  長孔
４９  ボルト
５０  落下防止治具
５１  薄板部
５２  堰板部
５３  二枚の第一の平板の間に延びる薄板部の長さ
５４  落下防止治具の長さ
ａ    幅
ｂ    間隔
ｈ１  第一の平板の厚さ
ｈ２  第二の平板の厚さ
ｈ３  突出部の高さ
ｈ５  堰部の高さ
ｍ    幅
ｎ    幅
Ｓ    接着剤
【図１】
2008303535.tif 000003
【図２】
2008303535.tif 000004
【図３】
2008303535.tif 000005
【図４】
2008303535.tif 000006
【図５】
2008303535.tif 000007
【図６】
2008303535.tif 000008
【図７】
2008303535.tif 000009
【図８】
2008303535.tif 000010
【図９】
2008303535.tif 000011
【図１０】
2008303535.tif 000012
【図１１】
2008303535.tif 000013
【図１２】
2008303535.tif 000014